(57)【要約】【課題】輸送時に枠体に光学系部材を固定するための固定手段の外し忘れを確実に防止することができるようにする。【解決手段】所定の枠体２１と、この枠体２１内に移動可能に装着され、且つ光学的に原稿画像を読み取るべく構成された光学系部材としての、枠体２１内で移動可能な光源およびミラー枠２２，２３とを備えてなり、且つ画像形成装置１０に装着される光学系ユニット２０を輸送するに際し、光源およびミラー枠２２，２３の枠体２１に対する一時的固定に使用される固定ピン３０が、光学系ユニット２０の画像形成装置１０への装着作業時に外し忘れられるのを防止すべく用いられる固定ピン３０外し忘れ防止構造に関するものであり、輸送後に光学系ユニット２０が画像形成装置１０に装着された状態で、光源およびミラー枠２２，２３を枠体２１に固定した固定ピン３０の外し忘れを検出するための近接スイッチ４０を備えて構成されている。【選択図】  図５
2005026932.tif 000002
【特許請求の範囲】
【請求項１】
所定の枠体と、この枠体内に駆動手段の駆動によって移動可能に装着され、且つ光学的に原稿画像を読み取るべく構成された光学系部材とを備えてなる光学系ユニットを輸送するに際し、前記光学系部材の前記枠体に対する一時的固定に使用される固定手段が、光学系ユニットの使用時に外し忘れられるのを防止すべく用いられる固定手段外し忘れ防止構造であって、
前記輸送後に光学系部材を枠体に固定した前記固定手段の外し忘れを検出するための外し忘れセンサを備えて構成されていることを特徴とする固定手段外し忘れ防止構造。
【請求項２】
前記外し忘れセンサの検出信号が固定手段の外し忘れを検出したとき、この外し忘れを報知する報知手段が設けられていることを特徴とする請求項１記載の固定手段外し忘れ防止構造。
【請求項３】
前記駆動手段の駆動を制御する制御手段が設けられ、この制御手段は、前記外し忘れセンサの検出信号に基づいて前記駆動手段へ駆動停止の制御信号を出力するものであることを特徴とする請求項１または２記載の固定手段外し忘れ防止構造。
【請求項４】
前記外し忘れセンサは、前記光学系部材のホームポジションを検出するために設けられたホームポジションセンサが兼用されていることを特徴とする請求項１乃至３のいずれかに記載の固定手段外し忘れ防止構造。
【請求項５】
所定の枠体と、この枠体内に駆動手段の駆動によって移動可能に装着され、且つ光学的に原稿画像を読み取るべく構成された光学系部材とを備えてなる光学系ユニットを輸送するに際し、前記光学系部材の前記枠体に対する一時的固定に使用される固定手段が、光学系ユニットの使用時に外し忘れられるのを防止すべく用いられる固定手段外し忘れ防止構造であって、
前記光学系ユニットが装着され前記駆動手段に電力が供給された状態で当該駆動手段の負荷を検出する負荷センサと、この負荷センサの検出結果に基づいて駆動手段への電力の供給を遮断するように制御する制御手段とが備えられ、
前記制御手段は、負荷センサによる検出値が、予め設定された基準値を越えているときに固定手段の外し忘れがあったと判別して駆動手段への電力供給を遮断するものであることを特徴とする固定手段外し忘れ防止構造。
【請求項６】
前記負荷センサの検出値が基準値を越えているとき報知する報知手段が設けられていることを特徴とする請求項５記載の固定手段外し忘れ防止構造。
【発明の詳細な説明】
【０００１】
【発明の属する技術分野】
本発明は、例えば複写機やファクシミリ装置等の被装着装置としての画像形成装置への適用が好適な光学系ユニットを対象とし、この光学系ユニットの輸送時に内部の光学系部材が動かないように装着され、開包後の被装着装置への据付け時に取り外される固定手段の外し忘れ防止構造に関するものである。
【０００２】
【従来の技術】
通常、例えば複写機やファクシミリ装置等の画像形成装置には、原稿の画像を光学的に読み取る光学系ユニットが採用されている。この光学系ユニットは、底のない枡形の枠体に光源やレンズさらにはミラー等の光学部品が搭載された光学系部材が装着されて構成されている。枠体の対向壁部間には例えば２本のガイドロッドが平行に架設され、前記光学系部材はこれら２本のガイドロッドに貫通されることにより、各ガイドロッドに案内されながら移動可能になっている。かかる光学系部材は、適所に設けられた駆動モータの駆動によって環状に配設されたワイヤを介して移動するようになっており、装置本体の頂面のコンタクトガラス上に載置された原稿の画像を移動しながら光源からの照射光によって走査し、その反射光を読み取ることによって別途設けられた記憶装置に当該原稿画像を記憶させるようになされている。
【０００３】
このような光学系ユニットは、特に光学系部材が精密部品の集積物であるため、製造現場から画像形成装置の組み付け現場に輸送するに際し、光学系部材が振動などによって枠体内で移動して壁面に衝突したりすると破損する虞がある。かかる不都合を回避するために、特許文献１には、光学系ユニットの輸送に際して予め枠体と光学系部材とをねじ（固定手段）によって互いに固定することが記載されている。
【０００４】
【特許文献１】
特開平７−２４０８２１号公報
【０００５】
【発明が解決しようとする課題】
ところで、光学系ユニットの枠体と光学系部材とを予め仮止め用のねじで互いに締結しておくことにより、光学系ユニットの輸送時に枠体内での光学系部材の移動が阻止されるため、輸送時の光学系部材の破損を防止する上で極めて有効であるが、組み立て現場に運び込まれた光学系ユニットを画像形成装置の装置本体内に組み付けるに際し、枠体から仮止め用のねじを取り外すのを失念する場合がある。
【０００６】
そして、仮止めねじの取り外しを失念したまま画像形成装置の組み立てが完了した後、電源を入れて駆動モータを駆動させると、光学系部材は枠体に対して相対的に動き得ないにも拘らず、環状ワイヤを介して強制的に動かされようとするため、過負荷が加わって駆動モータが焼損したり、光学系部材が破損するなどの不具合が生じる。
【０００７】
本発明は、上記のような問題点を解消するためになされたものであり、輸送時に枠体に光学系部材を固定するための固定手段の外し忘れを確実に防止することができ、これによって被装着装置の組み付け完了時に駆動モータの焼損や光学系部材の破損を防止することができる固定手段外し忘れ防止構造を提供することを目的としている。
【０００８】
【課題を解決するための手段】
請求項１記載の発明は、所定の枠体と、この枠体内に駆動手段の駆動によって移動可能に装着され、且つ光学的に原稿画像を読み取るべく構成された光学系部材とを備えてなる光学系ユニットを輸送するに際し、前記光学系部材の前記枠体に対する一時的固定に使用される固定手段が、光学系ユニットの使用時に外し忘れられるのを防止すべく用いられる固定手段外し忘れ防止構造であって、前記輸送後に光学系部材を枠体に固定した前記固定手段の外し忘れを検出するための外し忘れセンサを備えて構成されていることを特徴とするものである。
【０００９】
この発明によれば、光学系ユニットは、その製造現場から使用現場や光学系ユニットが装着される被装着装置の組み立て現場まで輸送されるに先立って、光学系部材が固定手段によって枠体に固定されることにより一体化しているため、輸送過程で光学系部材が枠体内で移動することはなく、したがって、光学系部材が枠体の壁面に衝突するなどして破損するような不都合の発生が防止される。
【００１０】
そして、光学系ユニットの輸送が終わった後の光学系ユニットの使用時（セットアップ時）に、光学系部材を枠体に固定した固定手段を外し忘れていたときには、外し忘れセンサがそのことを検出するため、この検出に基づいて固定手段を取り外すことができる。したがって、光学系ユニットのセットアップ時等に固定手段が取り外されていないにも拘らず電源スイッチを入れることにより、光学系部材を移動させるための駆動モータが焼損したり、光学系部材が破損する等の不都合を確実に防止することができる。
【００１１】
請求項２記載の発明は、請求項１記載の発明において、前記外し忘れセンサの検出信号が固定手段の外し忘れを検出したとき、この外し忘れを報知する報知手段が設けられていることを特徴とするものである。
【００１２】
この発明によれば、光学系ユニットの使用に先立って報知手段の報知により固定手段の外し忘れを認識することができ、即座に固定手段を取り外すことができる。報知手段としては、所定のモニター画面に、例えば「光学系部材を枠体に固定している固定ピン（固定手段）を外してください」というようなメッセージを文字出力するようなものであってもよいし、ブザーによって警報を吹鳴したり、前記メッセージを音声出力するようなものを挙げることができる。
【００１３】
請求項３記載の発明は、請求項１または２記載の発明において、前記駆動手段の駆動を制御する制御手段が設けられ、この制御手段は、前記外し忘れセンサの検出信号に基づいて前記駆動手段へ駆動停止の制御信号を出力するものであることを特徴とするものである。
【００１４】
この発明によれば、光学系ユニットのセットアップ時等に固定手段の取り外しが失念されたままの状態でたとえ駆動手段の電源スイッチが入れられても、外し忘れセンサの検出信号に基づいて制御手段が駆動手段を駆動させないように制御するため、固定手段の外し忘れがあった状態で駆動手段が駆動することはなく、したがって、駆動手段の駆動による駆動モータの焼損や、光学系部材の損傷が生じることはない。
【００１５】
請求項４記載の発明は、請求項１乃至３のいずれかに記載の発明において、前記外し忘れセンサは、前記光学系部材のホームポジションを検出するために設けられたホームポジションセンサが兼用されていることを特徴とするものである。
【００１６】
この発明によれば、外し忘れセンサとして光学系部材のホームポジションを検出するために設けられたホームポジションセンサが兼用されているため、固定手段の外し忘れの検出のために専用のセンサを採用する必要がなくなり、その分部品コストの低減化に貢献する。
【００１７】
請求項５記載の発明は、所定の枠体と、この枠体内に駆動手段の駆動によって移動可能に装着され、且つ光学的に原稿画像を読み取るべく構成された光学系部材とを備えてなる光学系ユニットを輸送するに際し、前記光学系部材の前記枠体に対する一時的固定に使用される固定手段が、光学系ユニットの使用時に外し忘れられるのを防止すべく用いられる固定手段外し忘れ防止構造であって、前記光学系ユニットが装着され前記駆動手段に電力が供給された状態で当該駆動手段の負荷を検出する負荷センサと、この負荷センサの検出結果に基づいて駆動手段への電力の供給を遮断するように制御する制御手段とが備えられ、前記制御手段は、負荷センサによる検出値が、予め設定された基準値を越えているときに固定手段の外し忘れがあったと判別して駆動手段への電力供給を遮断するものであることを特徴とするものである。
【００１８】
この発明によれば、光学系ユニットは、その製造現場から光学系ユニットの使用現場や、光学系ユニットが装着される被装着装置の組み立て現場まで輸送されるに先立って、光学系部材が固定手段によって枠体に固定されることにより一体化しているため、輸送過程で光学系部材が枠体内で移動することはなく、したがって、光学系部材が枠体の壁面に衝突するなどして破損するような不都合の発生が防止される。
【００１９】
そして、光学系ユニットの輸送が終わった後の当該光学系ユニットのセットアップ時等に、固定手段を外し忘れていたときには、所定の電源スイッチのオン操作で駆動手段に電力を供給することにより駆動手段は駆動しようとするが、固定手段の存在で駆動手段の負荷は基準値を越えて大きくなる。この基準値を越えた負荷値は負荷センサによって検出されるとともに、制御手段は、この検出結果に基づいて固定手段が外されていないと判別し、駆動手段への電力の供給を遮断する制御を行うため、たとえ電源スイッチがオンされていても駆動手段は駆動せず、したがって、固定手段が外されていないにも拘らずに駆動手段が駆動することで光学系部材に無理な力が加わり、光学系ユニットが破損するような不都合や、駆動手段が焼損するような不都合が確実に防止される。
【００２０】
請求項６記載の発明は、請求項５記載の発明において、前記負荷センサの検出値が基準値を越えているとき報知する報知手段が設けられていることを特徴とするものである。
【００２１】
この発明によれば、駆動手段に電力が供給された時点で、報知手段の報知により固定手段の外し忘れを認識することができ、即座に対応することができる。報知手段としては、所定のモニター画面に、例えば「光学系部材を枠体に固定している固定ピン（固定手段）を外してください」というようなメッセージを文字出力するようなものであってもよいし、ブザーによって警報を吹鳴したり、さらには、前記メッセージを音声出力するようなものを挙げることができる。
【００２２】
【発明の実施の形態】
図１は、本発明に係る外し忘れ防止構造が適用された画像形成装置の一実施形態を示す側面断面視の説明図である。画像形成装置１０は、原稿Ｐ１の原稿画像を読み取り、この読み取った画像を用紙Ｐ２へ転写し、この画像が転写された用紙Ｐ２を排出するように構成されたものであり、原稿画像を読み取るための原稿Ｐ１を載置するための原稿自動送り部１１と、この原稿自動送り部１１に載置された原稿Ｐ１から原稿画像を読み取る画像読取部１２と、この画像読取部１２で読み取られた原稿画像を用紙Ｐ２にトナー画像として転写する作像部１３と、この作像部１３で転写された用紙のトナー画像を定着する定着部１４と、前記作像部１３に向けて給紙する用紙Ｐ２を貯留する用紙貯留部１５とが箱形を呈した装置本体１０１に装着されることによって形成されている。
【００２３】
前記原稿自動送り部１１は、開閉可能なカバー蓋体１１１と、装置本体１０１の上面中央部の矩形状開口に嵌めこまれたコンタクトガラス１１５とを備えて構成されている。前記カバー蓋体１１１の上面中央部には窪んだ部分が形成され、この窪んだ部分に原稿トレー１１２が形成されている。この原稿トレー１１２は、複数枚の原稿Ｐ１を積層状態で載置して各原稿Ｐ１の原稿画像を連続的に読み取らせるときに使用されるものである。そして、この原稿トレー１１２の一側部（図１の左方）には、載置された原稿Ｐ１の束から１枚ずつを繰り出させてコンタクトガラス１１５に向かわせる原稿自動送り装置１１３が設けられている。、
この原稿自動送り装置１１３によってコンタクトガラス１１５上で画像が読み取られたのちの原稿Ｐ１は、他側部（図１の右方）から原稿トレー１１２上に戻されるようになっている。
【００２４】
また、カバー蓋体１１１は、図略のヒンジ軸回りに回動してコンタクトガラス１１５に対して開閉し得るように装置本体１０１に取り付けられている。そして、原稿Ｐを１枚ずつ手置きでコンタクトガラス１１５に供給する場合や、原稿Ｐ１がブック状のものである場合には、カバー蓋体１１１を開放して原稿Ｐ１をコンタクトガラス１１５上に載置し、その後、この原稿Ｐ１に重ねるようにカバー蓋体１１１を閉じた状態で画像読取部１２による画像の読み取りが行われるようになっている。
【００２５】
前記コンタクトガラス１１５に密着した原稿画像を走査する光学系ユニット２０を備えて構成されている。この光学系ユニット２０には、移動しながら原稿画像に光を照射する移動光源１２１と、この移動光源１２１からの光の原稿画像での反射光を所定の光路に沿うように反射する複数のミラー１２２や、光路の光を収束させるレンズ部材１２３等を有している。
【００２６】
そして、移動光源１２１がコンタクトガラス１１５と平行に移動しながら原稿面に照射した光の反射光がミラー１２２およびレンズ部材１２３を介してＣＣＤ１２４へ入力されることで原稿画像が順次走査されるようになっている。かかる走査で得られたアナログ量からなる画面情報は、ＣＣＤ１２４で逐一デジタル信号に変換されたのち図略の記憶装置に一旦記憶され、必要に応じて作像部１３へ向けてレーザー光の状態で出力されるようになっている。
【００２７】
前記作像部１３は、周面に静電画像およびトナー画像が順次形成される感光体ドラム１３１と、この感光体ドラム１３１の周面に用紙Ｐ２を送り込む転写ベルト１３２とを備えて構成されている。軸心回りに回転している感光体ドラム１３１の周面には、原稿Ｐ１の原稿画像を走査することにより得られた画像情報を有するレーザー光がレーザー光発信器１３３から照射され、これによって感光体ドラム１３１の周面に静電画像が順次形成されるとともに、走査光照射位置の下流側で静電画像に現像部１３４からトナーが供給されることにより感光体ドラム１３１の周面にトナー画像が形成されるようになっている。そして、このトナー画像が転写ベルト１３２によって給紙された用紙Ｐ２に転写されるようになっている。
【００２８】
前記定着部１４は、作像部１３で感光体ドラム１３１により画像の転写された用紙Ｐ２の転写画像に対し定着処理を施すものであり、内部に通電発熱体等の発熱部材が装着された定着ローラ１４１と、下部でこの定着ローラ１４１に対向配置された加圧ローラ１４２とを有している。そして、前記作像部１３から転写ベルト１３２の周回駆動に伴って導出された用紙Ｐ２は、定着ローラ１４１および加圧ローラ１４２間に給紙され、ここで定着ローラ１４１により加熱されることによってトナー画像が用紙Ｐ２に定着されるようになっている。定着部１４を通過した用紙Ｐ２は、最下流端に設けられた搬出ローラ対１４３を介して系外に搬出されるようになっている。
【００２９】
前記用紙貯留部１５は、装置本体１０１に対して挿脱自在に内装された複数段の用紙カセット１５１を備えて構成されている。各用紙カセット１５１には、一方の端部（図１に示す例では右端部）にピックアップローラ１５２や給紙ローラ１５３等が設けられ、ピックアップローラ１５２の駆動回転で用紙カセット１５１に装填されている用紙Ｐ２の束の最上位のものが順次繰り出され、給紙ローラ１５３を介して搬送路１０２に向けて導出されるようになっている。
【００３０】
そして、ピックアップローラ１５２および給紙ローラ１５３を介して用紙カセット１５１から導出された用紙Ｐ２は、転写ベルト１３２によって搬送されつつ、感光体ドラム１３１の周面のトナー画像が転写され、引き続き定着部１４で定着ローラ１４１による熱定着処理が施された後、搬出ローラ対１４３を通って装置本体１０１の排紙口から外部に排出される。
【００３１】
そして、装置本体１０１の側面の適所には電源スイッチ１０３が設けられているとともに、同上面の適所にはスタートボタン１０４が設けられ、電源スイッチ１０３がスイッチオンされた状態でスタートボタン１０４が押下されることによって原稿自動送り部１１、画像読取部１２、作像部１３、定着部１４および用紙貯留部１５がそれぞれの機能で動作することにより原稿Ｐ１の画像の用紙Ｐ２への転写処理が実行されるようになっている。
【００３２】
さらに、装置本体１０１内の適所には、画像形成処理を全般的に制御するための制御装置８０が設けられており、本発明に係る後述の固定ピン（固定手段）３０の外し忘れ防止制御もこの制御装置８０に制御の一部として組み込まれている。制御装置８０による固定ピン３０の外し忘れ防止制御については後に詳述する。
【００３３】
なお、本実施形態においては、定着部１４と用紙貯留部１５との間に用紙裏返し部１６が介設されている。この用紙裏返し部１６は、用紙Ｐ２に両面印刷処理を施すときに使用されるものであり、定着部１４で第１面の定着処理が完了した用紙Ｐ２は、一旦この用紙裏返し部１６へ導入され、ここで反転処理（裏返し処理）が施されたのち作像部１３へ戻され、作像部１３での第２面の転写処理および定着部１４での定着処理が実行されてから排紙口を介して後処理部３０へ向けて送り出されるようになっている。
【００３４】
図２は、本発明に係る固定手段外し忘れ防止構造が適用される光学系ユニット２０の一実施形態を示す斜視図である。なお、図２において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。この図に示すように、光学系ユニット２０は、平面視で矩形状を呈した枠体２１と、この枠体２１内に前後方向へ向けて移動可能に装着された光源枠（光学系部材）２２と、同移動可能に装着されたミラー枠（光学系部材）２３と、光源およびミラー枠２２，２３を移動させる駆動源としての駆動モータ２４と、この駆動モータ２４の駆動軸２３１に同心で固定された巻取りドラム２５と、この巻取りドラム２５に巻き付けられた状態で前記光源およびミラー枠２２，２３に連結された張設ワイヤ２６とを備えて構成されている。
【００３５】
前記枠体２１は、幅方向に延びた一対の横枠２１１と、各横枠２１１の端部間に架設された前後方向に延びる幅方向一対の前後枠２１２とからなっている。各前後枠２１２の対向面には図略の光源およびミラー枠２２，２３のガイドレールがそれぞれ設けられ、光源およびミラー枠２２，２３は、いずれもこれらのガイドレールに案内されつつ円滑に前後動し得るようになっている。
【００３６】
図３は、前記光源枠２２およびミラー枠２３を説明するための図２のＡ−Ａ線断面図である。この図に示すように、光源枠２２は、幅方向一対の側板２２１（図３には一方の側板２２１のみが示されている）と、これら一対の側板２２１の前縁部間に架設された前部架設板２２２と、同後縁部間に架設された後部架設板２２３とからなっている。前部架設板２２２の上部には、前記横枠２１１に対する対向面が当該横枠２１１と平行に設定された平行板２２４が形成されている。
この平行板２２４の適所には、後述の固定ピン３０が螺着されるねじ孔２２５が螺設されている。
【００３７】
そして、一対の側板２２１間であって上方後部位置には移動光源１２１が架設されているとともに、各側板２２１における前後の架設板２２２，２２３の下端縁部から下方に延設された部分（下方延設部２２７）間には、第１ミラー１２２１が架設されている。この第１ミラー１２２１は、下方延設部２２７の後方上部から前方に向けて先下がりに角度設定され、これによって移動光源１２１からの光の原稿面における反射光は、この第１ミラー１２２１で反射されて前記ミラー枠２３に向かうようになっている。
【００３８】
前記ミラー枠２３は、互いに対向配置された幅方向一対の側板２３１（図３には一方の側板２３１のみが示されている）と、これら一対の側板２３１を支持した状態で当該側板２３１間に架設された水平架設板２３２とを備えて構成されている。水平架設板２３２は、一対の側板２３１に外嵌された状態で各側板２３１の上下方向の略中間位置に固定されることにより、前縁部が側板２３１より若干前方に突出している。この突出した部分に横枠２１１と平行な幅方向（図２の紙面に直交する方向）に延びる平行板２３３が立設され、その適所にも後述の固定ピン３０が螺着されるねじ孔２３４が螺設されている。
【００３９】
そして、一対の側板２３１間であって水平架設板２３２より上方位置には、第２ミラー１２２２が架設されているとともに、同水平架設板２３２より下方位置には第３ミラー１２２３が架設されている。第２ミラー１２２２は、前記第１ミラー１２２１と対向した状態で後方（図２の右方）に向けて傾倒されている一方、第３ミラー１２２３は、第２ミラー１２２２と上下で対向した状態で前方に向けて傾倒されている。そして、第１ミラー１２２１で反射した光は、第２ミラー１２２２で反射して第３ミラー１２２３に導かれ、第３ミラー１２２３で反射したのちレンズ部材１２３を介してＣＣＤ１２４へ入光されるようになっている。
【００４０】
かかる光源枠２２およびミラー枠２３は、図略のガイドレールに案内されつつ駆動モータ２４（図１）の駆動により巻取りドラム２５を介して張設ワイヤ２６（図２）に牽引されながら前後方向（図２の左右方向）に正逆移動するようになっている。そして、ミラー枠２３の移動速度は、ワイヤ掛け構造が適切に構成されることによって光源枠２２の移動速度の１／２に設定され、これによって光源およびミラー枠２２，２３がそれぞれ移動しても、第１ミラー１２２１からレンズ部材１２３に到る光路の距離は常に一定になるようにしている。
【００４１】
図４は、光源およびミラー枠２２，２３がホームポジション（ミラー枠２３の移動光源１２１が原稿画面の走査を開始する位置）よりさらに前方の梱包ポジション（横枠２１１に近接したポジション）に位置した状態を示す図３相当図である。この図に示すように、光源およびミラー枠２２，２３が梱包ポジションに位置設定された状態では、各枠２２，２３は、いずれも同一位置で一部が重なり合った状態になり、特に光源枠２２の平行板２２４と、ミラー枠２３の平行板２３３とが上下方向に延びる同一平面上に位置した状態になるようになされている。
【００４２】
そして、光学系ユニット２０を、例えばその製造現場から画像形成装置１０の組み立て現場に輸送するような場合、前記梱包位置に位置設定された光源およびミラー枠２２，２３は、それぞれ枠体２１の横枠２１１に固定ピン３０で固定され、これによって輸送中の振動によっても光源およびミラー枠２２，２３が枠体２１内でがたついて破損するような不都合の生じることがないようにしている。
【００４３】
そのために、横枠２１１における各ねじ孔２２５，２３４に対応した部分には、固定ピン３０が貫通し得る上下一対の貫通孔２１４（図５）が穿設されている。固定ピン（固定手段）３０は、貫通孔２１４より僅かに小径のピン本体３１と、このピン本体３１の基端側に同心で一体に形成されたピン本体３１より大径の頭部３２とからなっている。ピン本体３１の先端には雄ねじの螺設された雄ねじ部３３が形成され、ピン本体３１が貫通孔２１４に貫通された状態で雄ねじ部３３を光源およびミラー枠２２，２３の各ねじ孔２２５，２３４に螺着することにより、光源およびミラー枠２２，２３がそれぞれ枠体２１に固定されるようになっている。
【００４４】
そして、本発明は、光学系ユニット２０がその製造現場から画像形成装置１０の組み立て現場に輸送され、組み立てに供されたときに、固定ピン３０の外し忘れを防止するための固定ピン外し忘れ防止構造に関するものである。
【００４５】
図５は、固定ピン外し忘れ防止構造の第１実施形態を示す一部切欠き部分拡大斜視図であり、（イ）は、近接スイッチ４０が横枠２１１に装着される直前の状態、（ロ）は、近接スイッチ４０が横枠２１１に装着された状態をそれぞれ示している。また、（ハ）は、（ロ）のＢ−Ｂ線断面図である。図５の（イ）および（ロ）において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という（因みに、図５における右方と左方とは図２におけるそれらと逆になっている）。なお、図５では、光源枠２２に関するものを例に挙げて示しているが、ミラー枠２３に関しても同様である。
【００４６】
図５に示すように、第１実施形態の固定ピン外し忘れ防止構造は、横枠２１１の内面側に、貫通孔２１４に対応して固定された非接触式の対物センサである近接スイッチ（外し忘れセンサ）４０を備えて構成されている。
【００４７】
前記近接スイッチ４０は、凹字状に形成された筐体４１と、この筐体に内装された近接センサ４２とからなっている。前記筐体４１は、底板４１１と、この底板４１１の両側部に立設された一対の側板４１２とからなり、一対の筐体４１２間に固定ピン３０のピン本体３１が挿通されるピン挿通空間４３が形成されている。一対の側板４１２は、底板４１１より前方に向けて延ばされ、この部分の対向面に上下方向に延びる嵌込み溝４４がそれぞれ凹設されているとともに、各嵌込み溝４４の前方部分に対向面間の距離が前方に向かうに従って漸増するように傾斜した傾斜面を有するフック４５がそれぞれ形成されている。
【００４８】
前記嵌込み溝４４の溝幅寸法は、枠体２１の横枠２１１の厚み寸法より僅かに広く設定されているとともに、前記フック４５間の最大内寸法は、側板４１２間の内寸法より若干大きめに設定されている。
【００４９】
一方、横枠２１１に穿設された固定ピン３０を挿通するための貫通孔２１４の左右対称位置には、一対のフック４５に対応した幅方向一対の角孔２１３が穿設されている。これらの角孔２１３は、上下寸法がフック４５の上下寸法より僅かに大きく設定されているとともに、孔幅寸法が嵌込み溝４４の溝底の厚み寸法より僅かに広く設定されている。
【００５０】
したがって、一対のフック４５を対応した角孔２１３にそれぞれ圧入することにより、各フック４５は、その対向部分が圧縮弾性変形しながら角孔２１３を通過し、これによって図５の（ロ）に示すように、近接スイッチ４０が横枠２１１に装着された状態になる。
【００５１】
前記近接センサ４２は、本実施形態においては、数１００Ｈｚ〜数ＭＨｚの高周波を電極板に供給し、この電極板からの高周波出力によってピン挿通空間４３内に高周波電界を形成させるようにした、いわゆる静電容量タイプのものが採用されている。かかる近接センサ４２によれば、ピン挿通空間４３内にピン本体３１が挿入されると、ピン本体３１の表面と電極版の表面との間で分極減少が起こり、これによって静電容量が増加するため、高周波の発振条件が助長されて発振の振幅が増加する。この発振振幅の大きさを計測することによってピン挿通空間４３内にピン本体３１が存在するか否かが検出される。
【００５２】
そして、製造現場で製造された光学系ユニット２０は、画像形成装置１０の組み立て現場に輸送されるに先立って、光源枠２２およびミラー枠２３がホームポジションを越えて枠体２１の一方側の横枠２１１に当接させられ、この状態で固定ピン３０のピン本体３１が貫通孔２１４に挿入され、図５の（ロ）および（ハ）に示すように、近接スイッチ４０のピン挿通空間４３を介して光源およびミラー枠２２，２３の各ねじ孔２２５，２３４に螺着締結される（図５の（ロ）および（ハ）では固定ピン３０が光源枠２２のねじ孔２２５に螺着された状態のみを代表で示している）。
【００５３】
そして、画像形成装置１０が組み立てられた状態で前記スタートボタン１０４が押下されると、近接センサ４２に高周波が印加され、これによって近接スイッチ４０のピン挿通空間４３にピン本体３１が存在するか否か（すなわち固定ピン３０の外し忘れが起こっているか否か）が検出されるようになされている。
【００５４】
以下、図６を基に、固定ピン３０の外し忘れ防止制御について説明する。図６は、第１実施形態の固定ピン３０の外し忘れ防止構造に係る外し忘れ防止制御を説明するためのブロック図である。なお、この図に示すように、制御装置８０は、中央演算処理装置であるＣＰＵ８１と、読出し専用の外部記憶装置であるＲＯＭ８２と、読み書き自在の外部記憶装置であるＲＡＭ８３と、固定ピン３０の外し忘れを表示する表示部８４とを備えて構成されている。
【００５５】
ＲＯＭ８２には、ピックアップローラ５２による用紙押圧制御に係るプログラムが記憶され、画像形成装置１０の電源スイッチ１０３がスイッチオンされることによりＲＯＭ８２に記憶されたプログラムがＣＰＵ８１に読み込まれるようになっている。この読み込み操作で制御装置８０は、固定ピン３０の外し忘れ防止制御が実行し得る状態に設定される。
【００５６】
ＲＡＭ８３には、近接スイッチ４０の近接センサ４２からどのような検出信号が出力されると固定ピン３０が外し忘れられているかを示す判断基準が記憶されている。この判断基準は、本実施形態においては、近接センサ４２が出力する高周波の発振信号の振幅の基準レベル（近接スイッチ４０のピン挿通空間４３にピン本体３１が存在するか否かの判断基準になる高周波の発振振幅）である。ＲＡＭ８３に記憶されているかかる基準レベルは、状況に応じて書き換えることができる。
【００５７】
前記ＣＰＵ８１は、固定ピン外し忘れ判別部８１１と、制御信号出力部８１２とを有している。固定ピン外し忘れ判別部８１１は、電源スイッチ１０３がスイッチオンされた状態で、近接センサ４２からの検出値と前記基準値とを比較し、その比較結果からピン挿通空間４３にピン本体３１が存在するか否かを判別し、その判別結果を指令信号として制御信号出力部８１２および表示部８４に向けて出力するものである。
【００５８】
前記制御信号出力部８１２は、固定ピン外し忘れ判別部８１１からの指令信号に基づいて駆動モータ２４に対する電力供給をオン・オフさせるものである。具体的には、制御信号出力部８１２は、固定ピン外し忘れ判別部８１１からの外し忘れに対応した指令信号（この指令信号は、近接センサ４２からの検出信号値が前記基準値を越えているときに出力される）を受けると、機器本体１１（図１）内の適所に設けられた電力供給切替器２４１へ向けて電源２４２からの電力を当該駆動モータ２４へ供給させるための制御信号を出力するようになっている。
【００５９】
この制御信号を受けた電力供給切替器２４１は、普段はオンになっている回路（すなわち電源２４２からの電力をスタートボタン１０４を介して駆動モータ２４に供給し得るようになっている回路）を切り換えて電源２４２からの電力が駆動モータ２４に供給されないようにするため、ユーザーがたとえスタートボタン１０４を押下しても、駆動モータ２４が駆動することはなく、固定ピン３０が枠体２１から外されない状態、すなわち、光源およびミラー枠２２，２３のいずれか一方が動き得ない状態で駆動モータ２４に電力が供給されてしまい、光源およびミラー枠２２，２３のいずれか一方または双方が動き得ないにも拘らず、スタートボタン１０４を押下することによって電力が駆動モータ２４に供給されてしまい、過負荷で駆動モータ２４が焼損するような不都合が回避される。
【００６０】
因みに、前記電力供給切替器２４１は、電源スイッチ１０３がスイッチオンされた初期状態で電源２４２からの電力を、スタートボタン１０４を介して駆動モータ２４へ供給するように回路設定されている。したがって、制御信号出力部８１２からの電力供給遮断の制御信号が入力されない限り、スタートボタン１０４が押下されると電源２４２からの電力が電力供給切替器２４１を介して駆動モータ２４へ供給されることになる。
【００６１】
前記表示部８４は、装置本体１０１の上面の適所であって、ユーザーによって視認し易い位置に設けられている。この表示部８４は、固定ピン外し忘れ判別部８１１からの外し忘れ表示の指令信号を受けると、例えば「電源スイッチを切ってから固定ピンを外してください」等の警報メッセージを画面表示するように構成されている。したがって、ユーザーは、この警報メッセージに基づいて電源スイッチ１０３をスイッチオフした後、固定ピン３０を枠体２１から取り外すことになるが、電源スイッチ１０３オフにより電力供給切替器２４１は通電可能な初期状態に戻るため、固定ピン３０を取り外したのちスタートボタン１０４を押下することで駆動モータ２４は正常に駆動する。
【００６２】
図７は、第１実施形態の固定ピン外し忘れ制御のフローを示すフローチャートである。以下、このフローチャートに基づいて第１実施形態の固定ピン外し忘れ制御のフローについて説明する。電源スイッチ１０３がスイッチオンされるとこの制御がスタートする。
【００６３】
まず、ステップＳ１で、固定ピン外し忘れ判別部８１１により光源枠２２用の近接センサ４２の検出値が基準値未満であるか否かが判別される。そして、近接センサ４２の検出値が基準値未満のとき（Ｓ１でＹＥＳ）にはステップＳ２が実行され、前記同様にミラー枠２３用の近接センサ４２が基準値未満であるかが判別され、ここでも基準値未満であるときは、何らのアクションもされずに制御は終了する。
【００６４】
これに対し、ステップＳ１で光源枠２２用の近接センサ４２の検出値が基準値以上のとき（Ｓ１でＮＯのとき）、またはステップＳ１でＹＥＳであってもステップＳ２でミラー枠２３用の近接センサ４２の検出値が基準値以上のとき（Ｓ２でＮＯのとき）、すなわち、光源枠２２用およびミラー枠２３用を固定していた各固定ピン３０のいずれかが抜き忘れられていたときは、ステップＳ３が実行され電力供給切替器２４１がオフされて電源２４２からの電力が駆動モータ２４へは供給されないようにされる。これと同時に固定ピン外し忘れ判別部８１１からの指令信号によって表示部８４に固定ピン３０抜き忘れを警報するための警報メッセージが表示される（Ｓ４）。
【００６５】
図８は、固定ピン外し忘れ防止構造の第２実施形態を示す一部切欠き部分拡大斜視図であり、（イ）は、被検出板５２が近接スイッチ４０によって検出され得る状態（光源枠２２が固定ピン３０によって光学系ユニット２０の枠体２１に固定される直前の状態）、（ロ）は、被検出板５２が近接スイッチ４０によって検出されない状態（光源枠２２が固定ピン３０によって光学系ユニット２０の枠体２１に固定された状態）をそれぞれ示している。図８において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という（因みに、図８における右方と左方とは図２におけるそれらと逆になっている）。なお、図８では、光源枠２２に関するものを例に挙げて示しているが、ミラー枠２３に関しても同様である。
【００６６】
この実施形態においては、外し忘れ防止構造は、固定ピン３０の外し忘れを検出するために固定ピン３０と近接スイッチ４０との間に介設される被検出金具５０を備えて構成されている。この被検出金具５０は、光源枠２２の前部架設板２２２と前端上部の前記平行板２２４との間に介設された棚板２２６上に設けられており、棚板２２６の左側部に立設された立設軸５０１回りに回動自在に軸支されている。
【００６７】
かかる被検出金具５０は、立設軸５０１の位置から左方よりも右方に向かって若干長めに延びた立設状態の被押圧板５１と、右側部が前記立設軸５０１に貫通され、且つ被押圧板５１の下縁部に一体的に接合された左方に向かって延びる長尺の被検出板５２と、前記被押圧板５１の上縁部の立設軸５０１に対応した位置から立設軸５０１の方向に向かって延設され、且つ立設軸５０１に貫通されたブラケット片５３とを備えて構成されている。
【００６８】
前記立設軸５０１は、平行板２２４に螺設されたねじ孔２２５よりも若干左方位置に設けられているとともに、被押圧板５１は、右側部が前後方向でねじ孔２２５に対向し得るように長さ寸法が設定されている。また、前記被検出板５２は、その左側部が棚板２２６の左端縁から外方に向けて若干突出するように長さ設定されている。
【００６９】
かかる被押圧板５１の右端上縁部には、上方に向かって突出した係止小片５１１が突設されているとともに、平行板２２４の係止小片５１１に対向した部分には、係止小片５１１に向かって切り起こされて形成した切起し片２２４１が設けられ、この切起し片２２４１と前記係止小片５１１との間に引張りコイルばね５４が張設され、これによって被検出金具５０は、平面視で立設軸５０１回りに反時計方向に向かう力を引張りコイルばね５４から受けるようになっている。
【００７０】
そして、棚板２２６の左端の後方縁部には、棚板２２６の一部が切り起こされることによって形成したストッパ片２２６１が突設され、引張りコイルばね５４によって付勢された被検出金具５０は、被検出板５２がこのストッパ片２２６１に当止することによって普段は定常姿勢に姿勢設定されるようになっている。
【００７１】
一方、近接スイッチ４０は、光学系ユニット２０の枠体２１の前後枠２１２における定常姿勢に姿勢設定された被検出金具５０の被検出板５２と対向するように固定され、これによって光源枠２２が梱包位置に位置設定された状態で被検出板５２の先端が一対の側板４１２間の検出空間４６に位置するように設置位置が設定されている。
【００７２】
因みに、この実施形態で用いられる近接スイッチ４０は、第１実施形態のものとは異なり、前記嵌込み溝４４やフック４５の設けられていないものが採用され、その底板４１１の外面側が前後枠２１２の内面側に当接された状態でねじ止め等によって前後枠２１２に固定されるようになっている。
【００７３】
前記固定ピン３０は、枠体２１の横枠２１１の貫通孔２１４を介して光源枠２２の平行板２２４に螺設されたねじ孔２２５に螺着され、これによって光源枠２２が枠体２１に固定された状態で、ピン本体３１の先端が被押圧板５１を立設軸５０１回りに所定角度だけ回動させ、これによって被検出板５２の先端が近接スイッチ４０の検出空間４６から外れ得るように長さ寸法が設定されている。
【００７４】
このように被検出金具５０を有する第２実施形態の固定ピン外し忘れ防止構造によれば、光学系ユニット２０の梱包作業時に光源枠２２がその平行板２２４を横枠２１１に当接させた梱包位置に位置設定された状態で、被検出金具５０の被検出板５２は、図８の（イ）に示すように、その先端部が近接スイッチ４０の検出空間４６に位置した定常姿勢に姿勢設定されている。
【００７５】
この状態で、輸送時に光源枠２２ががたつかないように固定ピン３０が横枠２１１の貫通孔２１４を介して平行板２２４のねじ孔２２５に螺着締結されることにより、被検出金具５０の被押圧板５１は、ピン本体３１の先端が被押圧板５１を押圧し、これによる引張りコイルばね５４の付勢力に抗した被検出金具５０の立設軸５０１回りの時計方向へ向かう回動によって、被検出板５２は、図８の（ロ）に示すように、その先端部が近接スイッチ４０の検出空間４６から外れた状態になる。
【００７６】
この状態で、光学系ユニット２０は、その製造現場から画像形成装置１０の組み立て現場に輸送され、組み立てに供されることになる。この組み立て作業において、光源枠２２を枠体２１に固定していた固定ピン３０は取り外されなければならないが、この取り外しが失念されることがある。そして、固定ピン３０の取り外しが忘れられたままでは、被検出金具５０の被検出板５２が、図８の（ロ）に示すように、近接スイッチ４０の検出空間４６から外れた状態になっているため、この状態が近接スイッチ４０によって検出されることにより、制御装置８０は、固定ピン３０の外し忘れを判別し、たとえ画像形成装置１０の電源スイッチ１０３が入れられた状態でスタートボタン１０４が押下されても、駆動モータ２４が駆動しないように制御するとともに、表示部８４に前記同様の警報メッセージを出力するように構成されている。
【００７７】
したがって、第２実施形態においては、制御装置８０の構成は、図６に示す第１実施形態のものと同様であるが、固定ピン外し忘れ判別部８１１におけるピン外し忘れの判別方法が、第１実施形態と反対になっており、近接スイッチ４０による検出値が、予めＲＡＭ８３に記憶されている基準値より小さいときは、固定ピン外し忘れ判別部８１１は、固定ピン３０の外し忘れが生じていると判別するのである。
【００７８】
したがって、第２実施形態における固定ピン３０の外し忘れ防止制御のフローチャートは、図７に示す第１実施形態の制御風呂において、ステップＳ１の「光源枠用の近接センサ検出値＜基準値」という表現を、「光源枠用の近接センサ検出値＞基準値」と変更するとともに、ステップＳ２の「ミラー枠用の近接センサ検出値＞基準値」と変更することによって完成することになる。
【００７９】
図９は、固定ピン外し忘れ防止構造の第３実施形態を示す一部切欠き部分拡大斜視図であり、（イ）は、光源枠２２が梱包位置に位置設定された状態（光源枠２２が固定ピン３０によって光学系ユニット２０の枠体２１に固定される直前の状態）、（ロ）は、光源枠２２が固定ピン３０によって枠体２１に固定された状態（光源枠２２が固定ピン３０によって光学系ユニット２０の枠体２１に固定された状態）をそれぞれ示している。なお、図９においてＸおよびＹの示す方向は図８において示す方向と同じである。
【００８０】
第３実施形態の固定ピン外し忘れ防止構造は、固定ピン３０の外し忘れを検出するセンサとして、枠体２１に既設品として設けられている、画像形成装置１０の通常の運転時に光源枠２２がホームポジションに戻ったことを検出するホームポジション用近接スイッチ４０′が兼用されている点が先の実施形態のものと相違している。
【００８１】
かかる第３実施形態の固定ピン外し忘れ防止構造は、図９に示すように、光学系ユニット２０の枠体２１の内の光源枠２２側に設けられた回動操作部材６０と、同枠体２１側に設けられた前記回動操作部材６０により回転させられる被回動部材７０とを備えて構成されている。
【００８２】
前記回動操作部材６０は、側面視でＬ字状を呈したＬ字操作板６１と、このＬ字操作板６１に固定された支軸６２と、Ｌ字操作板６１に付勢力を付与する第１コイルスプリング６３とを備えている。前記Ｌ字操作板６１は、上下方向に延びるように配置される短尺操作板６１１と、この短尺操作板６１１の基端縁部から直交状態で後方に向けて延設された長尺操作板６１２とからなっている。そして、前記前記支軸６２は、このようなＬ字操作板６１における短尺操作板６１１と長尺操作板６１２との交差部分を幅方向に貫通した状態でＬ字操作板６１に装着されている。
【００８３】
一方、光源枠２２の棚板２２６および前部架設板２２２には、その左側部後方位置が切り欠かれて形成した切欠き部２２２１が設けられているとともに、この切欠き部２２２１に対応して幅方向一対の軸受け片２２６２が上方に向けて突設されている。前記回動操作部材６０は、支軸６２の両側部がこれらの軸受け片２２６２の支持孔に嵌挿されることによって長尺操作板６１２が切欠き部２２２１に臨んだ状態で支軸６２回りに回動自在に軸支されている。
【００８４】
前記支軸６２には、第１コイルスプリング６３が外嵌され、先端部が折り曲げられたその一側部が圧接状態で短尺操作板６１１に当止されるとともに、他側部が圧接状態で棚板２２６の上面に当止され、これによってＬ字操作板６１は、支軸６２回りに図９における反時計方向へ付勢されている。
【００８５】
一方、棚板２２６には長尺操作板６１２近傍の縁部に当該長尺操作板６１２の上方への回動を阻止するストッパ片２２６３が設けられ、長尺操作板６１２が第１コイルスプリング６３の付勢力によってこのストッパ片２２６３に当止することによりＬ字操作板６１は、普段、その短尺操作板６１１が略垂直方向に延びるとともに長尺操作板６１２が略水平方向に延びた基準姿勢に姿勢設定されるようになっている。
【００８６】
前記被回動部材７０は、長尺操作板６１２の直下で幅方向一対の前後枠２１２間に架設された架設軸７１と、この架設軸７１に長尺操作板６１２と対応するように一体的に軸支された被操作板７２と、この被操作板７２の外側位置で前後枠２１２から若干離間して前記架設軸７１に一体的に軸支されたＬ字状の被検出部材７３と、この被検出部材７３に付勢力を付与する第２コイルスプリング７４とを備えて構成されている。被操作板７２および被検出部材７３は、いずれも架設軸７１から略同一位相で（すなわち架設軸７１の略同一径方向に向けて）突設されている。
【００８７】
前記被検出部材７３は、架設軸７１から径方向に向けて突設された径方向突設板７３１と、この径方向突設板７３１の先端から架設軸７１の周方向に向けて延設された被検出板７３２とからなっている。被検出板７３２は、被検出板７３２の先端から図９における反時計方向に延設されている。
【００８８】
一方、枠体２１の前後枠２１２には、棚板２２６と同一高さレベルであって、架設軸７１の略直上位置に、ホームポジション用近接スイッチ４０′がその開口を内方に向け、且つ一対の側板４１２が水平方向に延びるように取り付けられている。これによってホームポジション用近接スイッチ４０′の検出空間４６は、棚板２２６の縁部と対向するようになっている。
【００８９】
また、前後枠２１２には、ホームポジション用近接スイッチ４０′の下部であって、架設軸７１後方の斜め下方位置にその一部が内側に向けて押し起しされることによって形成したストッパ片２１２１が設けられ、被検出部材７３は、径方向突設板７３１がこのストッパ片２１２１に当止した傾斜姿勢と、径方向突設板７３１が略立直することにより被検出板７３２がホームポジション用近接スイッチ４０′の検出空間４６内に嵌り込んだ立直姿勢との間で姿勢変更し得るようになっている。なお、被検出部材７３と架設軸７１を介して一体の被操作板７２も、被検出部材７３と合わせて同様に傾斜姿勢と立直姿勢との間で姿勢変更し得るようになっている。
【００９０】
前記第２コイルスプリング７４は、架設軸７１に外嵌された状態で径方向突設板７３１および前後枠２１２間に介設され、これによって被検出部材７３を架設軸７１回りに時計方向に付勢している。したがって、普段、被操作板７２および被検出部材７３は、第２コイルスプリング７４の付勢力でそれぞれ強制的に傾斜姿勢に姿勢設定されている。
【００９１】
前記被操作板７２は、傾斜姿勢に姿勢設定された状態で、その先端が基準姿勢に姿勢設定されているＬ字操作板６１の長尺操作板６１２の裏面側に若干の隙間を介して対向するように長さ寸法が設定されている。したがって、傾斜姿勢に姿勢設定されていた被操作板７２（図９の（イ））は、基準姿勢に姿勢設定されているＬ字操作板６１が傾斜姿勢（図９の（ロ））に姿勢変更されることにより、被操作板７２の先端が長尺操作板６１２によって押圧され、これによって図９の（ロ）に示すように立直姿勢に姿勢変更されることになる。
【００９２】
また、被操作板７２は、傾斜姿勢に姿勢設定された状態で、その先端が基準姿勢に姿勢設定されているＬ字操作板６１の長尺操作板６１２の裏面側に当接しないようになされているため、光源枠２２の移動時に長尺操作板６１２と干渉することはない。
【００９３】
そして、平行板２２４の前記ねじ孔２２５は、Ｌ字操作板６１の短尺操作板６１１に対向する位置に螺設されているとともに、横枠２１１の前記貫通孔２１４はねじ孔２２５に対向して穿設されている。
【００９４】
そして、本実施形態においては、棚板２２６の幅方向の縁部に、ホームポジション用近接スイッチ４０′によって光源枠２２のホームポジションを検出するためのホームポジション用検出片２２６４が外方に向かって突設されている。このホームポジション用検出片２２６４は、光源枠２２がホームポジションに位置した状態で、ホームポジション用近接スイッチ４０′の検出空間４６に位置し得るように設定値が設定されている。
【００９５】
したがって、図９に示すように、光源枠２２が輸送のための梱包位置に位置設定された状態では、ホームポジション用検出片２２６４は、ホームポジション用近接スイッチ４０′より若干前方寄りのところに位置しており、ホームポジション用近接スイッチ４０′によって検出されないようになっている。
【００９６】
このように構成された第３実施形態のピン外し忘れ防止構造によれば、光学系ユニット２０の製造現場から画像形成装置１０の組み立て現場に光学系ユニット２０を輸送するに際し、光源枠２２は、まず、図９の（イ）に示すように、枠体２１内で梱包位置に位置設定され、しかる後に固定ピン３０のピン本体３１を横枠２１１の貫通孔２１４を介して平行板２２４のねじ孔２２５に螺着しねじ込んでいく。
【００９７】
そうすると、ピン本体３１の先端がＬ字操作板６１の短尺操作板６１１に当止し、その後、短尺操作板６１１を後方に向けて押圧していくので、Ｌ字操作板６１は支軸６２回りに時計方向に回動する。この回動によって長尺操作板６１２が被操作板７２の先端を前方に向けて押圧するため、被操作板７２は、架設軸７１回りに反時計方向に回動し、これによって被操作板７２と一体回動していた被検出部材７３の被検出板７３２が、図９の（ロ）に示すように、ホームポジション用近接スイッチ４０′の検出空間４６に嵌り込んだ状態になる。また、この状態で、光源枠２２が枠体２１に一体的に固定され得るようにピン本体３１の長さ寸法が設定されている。
【００９８】
そして、固定ピン３０によって光源枠２２が枠体２１に固定されるとともに、被検出板７３２がホームポジション用近接スイッチ４０′の検出空間４６に嵌り込んだ状態で光学系ユニット２０に対して所定の梱包が行われ、輸送されることになる。
【００９９】
このようにして画像形成装置１０の組み立て現場に運び込まれた光学系ユニット２０は、画像形成装置１０の組み立てに供されたのち、組み立て完了直前に固定ピン３０が枠体２１から取り外されるのであるが、このとき、たとえ固定ピン３０が外し忘れられたままで電源スイッチ１０３がスイッチオンされ、引き続きスタートボタン１０４が押下されても、ホームポジション用近接スイッチ４０′が被検出板７３２を検出し、これによって駆動モータ２４への電力の供給が遮断されるとともに、表示部８４に警報メッセージが出力されることについては、第１実施形態のものと同様である。
【０１００】
そして、第３実施形態においては、固定ピン３０の外し忘れを検出するものとして、光源枠２２のホームポジションを検出するためのホームポジション用近接スイッチ４０′が兼用されているため、ホームポジション用近接スイッチ４０′とは別に高価な近接スイッチ４０を設けなくてもよく、その分部品コストの低減化に貢献することができる。
【０１０１】
図１０は、固定ピン外し忘れ構造の第４実施形態を説明するためのブロック図である。第４実施形態の固定ピン外し忘れ防止構造は、先の実施形態の固定ピン外し忘れ防止構造と異なり、機械的な部材を使用することなく、電気的な処理によって固定ピンの外し忘れを検出するものである。
【０１０２】
すなわち、本実施形態においては、駆動モータ２４に電流値を検出する電流センサ（負荷センサ）２４３が付設され、この電流センサ２４３からの検出信号（すなわち電流値）が制御装置８０に入力されるようになっている。そして、制御装置８０がこの検出信号（電流値）に基づいて固定ピン３０の外し忘れが生じているのか否かを判別し、固定ピン３０が外し忘れられていた場合には、駆動モータ２４への電力の供給を遮断するとともに、表示部８４に警報メッセージを出力するようになっている。
【０１０３】
そして、第４実施形態の固定ピン外し忘れ防止構造は、駆動モータ２４に付設された電流センサ２４３と、電流センサ２４３の検出結果に基いて固定ピン３０の外し忘れがあるか否かを判別するように構成された制御装置８０の固定ピン外し忘れ判別部８１１とを備えて構成されている。
【０１０４】
第４実施形態の外し忘れ防止構造に用いられる制御装置８０は、ＣＰＵ８１、ＲＯＭ８２、ＲＡＭ８３および表示部８４を備えて構成され、特に、ＣＰＵ８１が固定ピン外し忘れ判別部８１１および制御信号出力部８１２を有していることについては先の実施形態と同様であるが、先の実施形態においては、ＲＡＭ８３に近接スイッチ４０の検出信号に対する基準値が記憶されているのに対し、本実施形態は、ＲＡＭ８３に駆動モータ２４の基準電流値（駆動モータ２４が正常に駆動するときの電流値）が記憶されている点が先の実施形態と相違している。
【０１０５】
そして、本実施形態においては、固定ピン外し忘れ判別部８１１は、電流センサ２４３が検出した電流値（検出電流値）と予め記憶されている基準電流値とを比較し、検出電流値が基準電流値を越えている場合に、固定ピン３０が外し忘れられていると判別するようになっている。
【０１０６】
このようにされるのは以下の理由による。すなわち、固定ピン３０の外し忘れがあると、スタートボタン１０４の押下で電源２４２からの電力が駆動モータ２４に供給されても、光源およびミラー枠２２，２３は、固定ピン３０によって枠体２１に固定されたままになっているため、光源およびミラー枠２２，２３が動くことはなく、したがって、駆動モータ２４には極めて大きな負荷（過負荷）がかかった状態になるため、これに対抗して駆動モータ２４に過大な電流が供給されるからである。そして、本実施形態では、この過大な電流を検出することによって固定ピン３０の外し忘れを見出すのである。
【０１０７】
前記固定ピン外し忘れ判別部８１１が固定ピン３０の外し忘れを判別した後の処理、すなわち、制御信号出力部８１２からの制御信号によって電力供給切替器２４１が切り替えられて駆動モータ２４への電力供給が遮断されるとともに、固定ピン外し忘れ判別部８１１からの指令信号に基づいて表示部８４が警報メッセージを表示出力することについては、先の実施形態と同様である。
【０１０８】
図１１は、第４実施形態の固定ピン外し忘れ制御のフローを示すフローチャートである。以下、このフローチャートに基づいて第４実施形態の固定ピン外し忘れ制御のフローについて説明する。電源スイッチ１０３がスイッチオンされるとこの制御がスタートする。
【０１０９】
まず、ステップＳ１０で、スタートボタン１０４が押下されたか否かが判別され、押下されると（Ｓ１０でＹＥＳ）、電流センサ２４３の検出値が基準値未満であるか否かが判別される（Ｓ１１）。そして、電流センサ２４３の検出値が基準値未満のとき（Ｓ１１でＹＥＳ）には固定ピン３０が外されているため制御は終了する。
【０１１０】
これに対し、ステップＳ１１で電流センサ２４３の検出値が基準値以上のとき（Ｓ１１でＮＯのとき）、すなわち、光源枠２２用およびミラー枠２３用を固定していた各固定ピン３０のいずれかが抜き忘れられていたときは、ステップＳ１２が実行され電力供給切替器２４１がオフされて電源２４２からの電力が駆動モータ２４へは供給されないようにされる。これと同時に固定ピン外し忘れ判別部８１１からの指令信号によって表示部８４に固定ピン３０抜き忘れを警報するための警報メッセージが表示される（Ｓ１３）。
【０１１１】
第４実施形態の固定ピン外し忘れ防止構造によれば、先の実施形態のような、固定ピン３０の存在を検出するための機械的な構成の部品を使用することがなく、光学系ユニット２０そのものに全くの加工を施す必要がなく、電気的な処理のみでしかも固定ピン３０の外し忘れを確実に検出することを可能とした上で、部品コストおよび組み付けコストの低減化に大いに貢献することができる。
【０１１２】
以上詳述したように、本発明の固定ピンの外し忘れ防止構造は、所定の枠体２１と、この枠体２１内に移動可能に装着され、且つ光学的に原稿画像を読み取るべく構成された光学系部材としての、枠体２１内で移動可能な光源およびミラー枠２２，２３とを備えてなり、且つ画像形成装置１０に装着される光学系ユニット２０を輸送するに際し、光源およびミラー枠２２，２３の枠体２１に対する一時的固定に使用される固定ピン３０が、光学系ユニット２０の画像形成装置１０への装着作業時に外し忘れられるのを防止すべく用いられる固定ピン３０外し忘れ防止構造に関するものである。
【０１１３】
そして、この固定ピンはずし忘れ防止構造は、輸送後に光学系ユニット２０が画像形成装置１０に装着された状態で、光源およびミラー枠２２，２３を枠体２１に固定した固定ピン３０の外し忘れを検出するための近接スイッチ４０を備えて構成されているため、光学系ユニット２０は、その製造現場から光学系ユニット２０が装着される画像形成装置１０の組み立て現場までの輸送過程で光源およびミラー枠２２，２３が枠体２１内で移動することはなく、したがって、光源およびミラー枠２２，２３が枠体２１の壁面に衝突するなどして破損するような不都合の発生を防止した上で、光学系ユニット２０の輸送が終わった後にこの光学系ユニット２０を画像形成装置１０に装着した状態で、光源およびミラー枠２２，２３を枠体２１に固定した固定ピン３０を外し忘れていたときには、近接スイッチ４０がそのことを検出し、この検出結果に基づいて固定ピン３０を取り外すことができる。
【０１１４】
したがって、画像形成装置１０の組み付け完了時に固定ピン３０が取り外されていないにも拘らず電源スイッチ１０３を入れることにより、光源およびミラー枠２２，２３を移動させるための駆動モータ２４が焼損したり、光源およびミラー枠２２，２３が破損する等の不都合を確実に防止することができる。
【０１１５】
また、画像形成装置１０には、近接スイッチ４０の検出信号が固定ピン３０の外し忘れを検出したとき、この外し忘れを報知する表示部８４が設けられているため、画像形成装置１０の組み立てが完了した時点で、表示部８４の報知により固定ピン３０の外し忘れを認識することができ、即座に固定ピン３０を取り外すことができる。
【０１１６】
また、画像形成装置１０には、光源およびミラー枠２２，２３を枠体２１内で移動させる駆動モータ２４の駆動を制御する制御装置８０が設けられ、この制御装置８０は、近接スイッチ４０の検出信号に基づく固定ピン外し忘れ判別部８１１の判別結果（すなわち外し忘れているという判別結果）によって制御信号出力部８１２が電力供給切替器２４１に向けて駆動モータ２４停止のための制御信号を出力するようにしているため、光学系ユニット２０の画像形成装置１０への装着作業時に、固定ピン３０の取り外しが失念されたままの状態でたとえ駆動モータ２４の電源スイッチ１０３が入れられても、駆動モータ２４が駆動することはなく、したがって、駆動モータ２４の駆動による駆動モータ２４の焼損や、光学系部材の損傷を確実に防止することができる。
【０１１７】
また、固定ピン外し忘れ防止構造として、駆動モータ２４に電力が供給された状態で当該駆動モータ２４の負荷（電流値）を検出する電流センサ２４３を設け、制御装置８０は、この電流センサ２４３の検出結果に基づいて駆動モータ２４への電力の供給を遮断するようにすれば（第４実施形態）、光学系ユニット２０の輸送が終わった後にこの光学系ユニット２０を画像形成装置１０に装着した状態で、光源およびミラー枠２２，２３を枠体２１に固定した固定ピン３０を外し忘れていたときには、所定の電源スイッチ１０３のオン操作で駆動モータ２４に電力を供給することにより駆動モータ２４は駆動しようとするが、固定ピン３０の存在で駆動モータ２４の負荷は基準値を越えて大きくなるため、この基準値を越えた負荷値は電流センサ２４３によって検出されるとともに、制御装置８０は、この検出結果に基づいて固定ピン３０が外されていないと判別し、駆動モータ２４への電力の供給を遮断する制御を行い、たとえ電源スイッチ１０３がオンされ、且つスタートボタン１０４が押下されても駆動モータ２４は駆動せず、固定ピン３０が外されていないにも拘らずに駆動モータ２４が駆動することで光学系部材に無理な力が加わり、光学系ユニット２０が破損するような不都合や、駆動モータ２４が焼損するような不都合を確実に防止することができる。
【０１１８】
また、外し忘れセンサとして電流センサ２４３を用いることにより、枠体２１や光源およびミラー枠２２，２３に機械的な構造の固定ピン３０の外し忘れ検出用の各種部品を設ける必要がなくなり、その分、部品コストおよび組み付けコストの低減化に貢献することができる。
【０１１９】
なお、上記の第１実施形態においては、固定ピン３０の存在を検出する近接スイッチ４０として静電容量式の近接センサ４２を採用したものが用いられているが、本発明は、近接センサ４２が静電容量式のものであることに限定されるものではなく、ストライカーを用いた機械式（例えばリミットスイッチ等）や、高周波タイプのもの、電磁タイプのもの、さらには発光素子と受光素子とを備えてなる光センサ等の各種のセンサを採用することができる。
【０１２０】
また、上記の第２実施形態（図８）においては、近接スイッチ４０は、光源枠２２がホームポジションに位置した状態で被検出金具５０と対向するように設置位置が設定されているが、こうする代わりに近接スイッチ４０を、光源枠２２がホームポジションに位置した状態で被検出金具５０と対向する位置に設けてもよい。こうすることによって近接スイッチ４０を、第３実施形態と同様にホームポジション用近接スイッチとして兼用することが可能になるため、その分部品点数の削減に貢献することができる。
【０１２１】
本明細書においては、本発明を固定手段外し忘れ防止装置としてとれえているが、本発明を、「光学系ユニットおよび画像形成装置」としてとらえることも可能である。このようにとらえると、本発明は、以下のようになる。
【０１２２】
第１の発明：所定の枠体に対して往復動可能に設けられ、画像を光学的に読み取る走査光学系部を備える光学系ユニットであって、前記走査光学系部を往復動の一方端で前記枠体に解除可能に固定する固定手段と、固定手段の存在を検出する検出手段とを備えたことを特徴とする光学系ユニット。
【０１２３】
第２の発明：前記枠体の前記光学系部を固定する部位に近接センサを備え、前記固定手段は、前記近接センサで検知可能な位置で前記光学系部を固定するものであることを特徴とする第１の発明。
【０１２４】
第３の発明：前記枠体は前記往復動の基端側に相当する位置に基準位置センサを備え、前記固定手段は、前記光学系部を固定した状態で位置変移する可動部を備え、前記可動部は前記固定した状態で前記近接センサで検知可能な位置に変移するものであることを特徴とする第１の発明。
【０１２５】
第４の発明：第１〜第３のいずれかの発明の光学系ユニットと、この光学系ユニットが組み付けられ、読み取った原稿画像を記録紙に転写する画像形成装置本体とからなり、前記画像形成装置本体は、前記検出手段が固定手段の存在を検出しているとき、前記検出手段からの信号を受けて固定解除忘れを報知する報知手段を備えたことを特徴とする画像形成装置。
【０１２６】
第５の発明：所定の枠体に対して往復動可能に設けられ、画像を光学的に読み取る走査光学系部を備えると共に、前記走査光学系部を往復動の一方端で前記枠体に解除可能に固定する固定手段と備えた光学系ユニットと、この光学系ユニットが組み付けられ、光学系部を駆動源によって往復動させて読み取った原稿画像を記録紙に転写する画像形成装置本体とからなり、前記画像形成装置本体は、前記駆動源への駆動負荷を検出する負荷検出手段と、負荷検出手段が所定レベル以上の負荷を検出した時は、駆動動作を停止する駆動停止手段とを備えたことを特徴とする画像形成装置。
【０１２７】
第６の発明：前記負荷検出手段が所定レベル以上の負荷を検出した時に固定解除忘れを報知する報知手段を備えたことを特徴とする第５の発明。
【０１２８】
【発明の効果】
本発明によれば、光学系部材を枠体に固定した固定手段の外し忘れを検出するための外し忘れセンサを備えているため、光学系ユニットの出荷のための輸送後のセットアップ時に、光学系部材を枠体に固定した固定手段を外し忘れていたときには、外し忘れセンサがそのことを検出し、この検出に基づいて固定手段を取り外すことができる。
【０１２９】
したがって、光学系ユニットのセットアップ時に固定手段が取り外されていないにも拘らず電源スイッチを入れることにより、光学系部材を移動させるための駆動モータが焼損したり、光学系部材が破損する等の不都合を確実に防止することができる。
【図面の簡単な説明】
【図１】本発明に係る外し忘れ防止構造が適用された画像形成装置の一実施形態を示す側面断面視の説明図である。
【図２】本発明に係る固定手段外し忘れ防止構造が適用される光学系ユニット２０の一実施形態を示す斜視図である。
【図３】前記光源枠およびミラー枠を説明するための図２のＡ−Ａ線断面図である。
【図４】光源およびミラー枠がホームポジション（ミラー枠の移動光源が原稿画面の走査を開始する位置）よりさらに前方の梱包ポジション（横枠に近接したポジション）に位置した状態を示す図３相当図である。
【図５】固定ピン外し忘れ防止構造の第１実施形態を示す一部切欠き部分拡大斜視図であり、（イ）は、近接スイッチが横枠に装着される直前の状態、（ロ）は、近接スイッチが横枠に装着された状態をそれぞれ示している。
【図６】第１実施形態の固定ピンの外し忘れ防止構造に係る外し忘れ防止制御を説明するためのブロック図である。
【図７】第１実施形態の固定ピン外し忘れ制御のフローを示すフローチャートである。
【図８】固定ピン外し忘れ防止構造の第２実施形態を示す一部切欠き部分拡大斜視図であり、（イ）は、被検出板５２が近接スイッチ４０によって検出され得る状態（光源枠２２が固定ピン３０によって光学系ユニット２０の枠体２１に固定される直前の状態）、（ロ）は、被検出板５２が近接スイッチ４０によって検出されない状態（光源枠２２が固定ピン３０によって光学系ユニット２０の枠体２１に固定された状態）をそれぞれ示している。
【図９】固定ピン外し忘れ防止構造の第３実施形態を示す一部切欠き部分拡大斜視図であり、（イ）は、光源枠が梱包位置に位置設定された状態（光源枠が固定ピンによって光学系ユニットの枠体に固定される直前の状態）、（ロ）は、光源枠が固定ピンによって枠体に固定された状態（光源枠が固定ピンによって光学系ユニットの枠体に固定された状態）をそれぞれ示している。
【図１０】固定ピン外し忘れ構造の第４実施形態を説明するためのブロック図である。
【図１１】第４実施形態の固定ピン外し忘れ制御のフローを示すフローチャートである。
【符号の説明】
１０  画像形成装置          １０１  装置本体
１０２  搬送路              １０３  電源スイッチ
１０４  スタートボタン      １１  原稿自動送り部
１１１  カバー蓋体          １１２  原稿トレー
１１３  原稿給紙機構        １１５  コンタクトガラス
１２  画像読取部            １２１  移動光源
１２２  ミラー              １２３  レンズ部材
１２４  ＣＣＤ              １３  作像部
１３１  感光体ドラム        １３２  転写ベルト
１３３  レーザー光発信器    １３４  現像部
１４１  定着ローラ          １４２  加圧ローラ
１４３  搬出ローラ対        １５１  用紙カセット
１５２  ピックアップローラ  １５３  給紙ローラ
２０  光学系ユニット        ２１  枠体
２１１  横枠                ２１２  前後枠
２１３  角孔                ２１４  貫通孔
２２  光源枠（光学系部材）  ２２１  側板
２２２  前部架設板          ２２２１  切欠き部
２２３  後部架設板          ２２４  平行板
２２５  ねじ孔              ２２６  棚板
２２６１  ストッパ片        ２２６２  軸受け片
２２６３  ストッパ片        ２２６４  ホームポジション用検出片
２２７  下方延設部          ２３  ミラー枠（光学系部材）
２３１  側板                ２３２  水平架設板
２３３  平行板              ２３４  ねじ孔
２４  駆動モータ            ２４１  電力供給切替器
２４２  電源                ２４３  電流センサ（負荷センサ）
２５  巻取りドラム          ２６  張設ワイヤ
３０  固定ピン（固定手段）  ３１  ピン本体
３２  頭部                  ３３  雄ねじ部
４０近接スイッチ（外し忘れセンサ）
４０′  ホームポジション用近接スイッチ（外し忘れセンサ）
４１  筐体                  ４１１  底板
４１２  側板                ４２  近接センサ
４３  ピン挿通空間          ４４  嵌込み溝
４５  フック                ４６  検出空間
５０  被検出金具            ５０１  立設軸
５１  被押圧板              ５１１  係止小片
５２  被検出板              ５３  ブラケット片
５４  引張りコイルばね      ６０  回動操作部材
６１  Ｌ字操作板            ６１１  短尺操作板
６１２  長尺操作板          ６２  支軸
６３  第１コイルスプリング  ７０  被回動部材
７１  架設軸                ７２  被操作板
７３  被検出部材            ７３１  径方向突設板
７３２  被検出板            ７４  第２コイルスプリング
８０  制御装置              ８１  ＣＰＵ
８１１  固定ピン外し忘れ判別部
８１２  制御信号出力部      ８３  ＲＡＭ
８４  表示部
【図１】
2005026932.tif 000003
【図２】
2005026932.tif 000004
【図３】
2005026932.tif 000005
【図４】
2005026932.tif 000006
【図５】
2005026932.tif 000007
【図６】
2005026932.tif 000008
【図７】
2005026932.tif 000009
【図８】
2005026932.tif 000010
【図９】
2005026932.tif 000011
【図１０】
2005026932.tif 000012
【図１１】
2005026932.tif 000013